(57)【要約】  本願は、信号伝送方法及びその装置、端末装置並びにネットワーク装置を開示する。前記信号伝送方法は、第１タイプのランダムアクセスプロセスにおいて、端末装置がネットワーク装置に第１メッセージを送信し、前記ネットワーク装置から第１指示情報を取得することであって、前記第１メッセージは、第１プリアンブル及び第１上りデータを含む、ことと、前記端末装置が前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定することと、を含む。
2022500887.tif 000002
【特許請求の範囲】
【請求項１】
信号伝送方法であって、前記信号伝送方法は、
第１タイプのランダムアクセスプロセスにおいて、端末装置がネットワーク装置に第１メッセージを送信し、前記ネットワーク装置から第１指示情報を取得することであって、前記第１メッセージは、第１プリアンブル及び第１上りデータを含む、ことと、
前記端末装置が前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定することと、を含む、信号伝送方法。
【請求項２】
前記第１指示情報は、前記第１メッセージを再送することを指示するために用いられ、再送される前記第１メッセージは、前記第１上りデータを含み、又は、再送される前記第１メッセージは、前記第１上りデータ及び前記第１プリアンブルを含むことを特徴とする
請求項１に記載の信号伝送方法。
【請求項３】
再送される前記第１メッセージが前記第１上りデータを含む場合、前記信号伝送方法は、
前記端末装置が、前記第１メッセージを再送する場合、前記第１上りデータの伝送パラメータを調整することを更に含むことを特徴とする
請求項２に記載の信号伝送方法。
【請求項４】
再送される前記第１メッセージが前記第１上りデータ及び前記第１プリアンブルを含む場合、前記信号伝送方法は、
前記端末装置が、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持することを更に含むことを特徴とする
請求項２に記載の信号伝送方法。
【請求項５】
前記第１指示情報は、前記第１タイプのランダムアクセスプロセスから第２タイプのランダムアクセスプロセスにフォールバックすることを指示するために用いられることを特徴とする
請求項１に記載の信号伝送方法。
【請求項６】
前記端末装置が前記第２タイプのランダムアクセスプロセスにフォールバックした場合、前記信号伝送方法は、
前記端末装置が、前記ネットワーク装置からの、ランダムアクセス応答メッセージを含む第２メッセージを受信することと、
前記端末装置が、前記ネットワーク装置に、前記第１上りデータを含む第３メッセージを送信することと、
前記端末装置が、前記ネットワーク装置からの、競合解決メッセージを含む第４メッセージを受信することと、を更に含むことを特徴とする
請求項５に記載の信号伝送方法。
【請求項７】
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含むことを特徴とする
請求項１に記載の信号伝送方法。
【請求項８】
再送される前記第１メッセージが前記第１プリアンブルを含む場合、前記信号伝送方法は、
前記端末装置が、前記第１メッセージを再送する場合、前記第１プリアンブルの伝送電力及び前記第１プリアンブルの送信回数を記録するためのカウンターを調整することを更に含むことを特徴とする
請求項７に記載の信号伝送方法。
【請求項９】
再送される前記第１メッセージが前記第１プリアンブル及び前記第１上りデータを含む場合、前記信号伝送方法は、
前記端末装置が、前記第１メッセージを再送する場合、前記第１プリアンブルの伝送電力及び前記第１プリアンブルの送信回数を記録するためのカウンターを調整し、前記第１上りデータの伝送パラメータをそのまま維持することを更に含むことを特徴とする
請求項７に記載の信号伝送方法。
【請求項１０】
前記第１指示情報は、前記第１タイプのランダムアクセスプロセスを実行し続けるために、前記第１メッセージを再送しないことを指示するために用いられることを特徴とする
請求項１に記載の信号伝送方法。
【請求項１１】
前記第１タイプのランダムアクセスプロセスを実行し続けることは、
前記ネットワーク装置からの第５メッセージを受信することであって、前記第５メッセージは、ランダムアクセス応答メッセージ及び／又は競合解決メッセージを含む、ことを含むことを特徴とする
請求項１０に記載の信号伝送方法。
【請求項１２】
前記第１上りデータの伝送パラメータは、伝送電力、伝送リソース、変調符号化スキームのうちの少なくとも１つを含むことを特徴とする
請求項３、４又は９に記載の信号伝送方法。
【請求項１３】
前記第１上りデータの前記伝送電力は、電力オフセットパラメータを含み、前記電力オフセットパラメータは、前記第１プリアンブルの電力に対する前記第１上りデータの電力のオフセットを指示するためのものであることを特徴とする
請求項１２に記載の信号伝送方法。
【請求項１４】
前記第１上りデータの前記伝送リソースは、前記第１プリアンブルに関わる上りデータチャネルリソースであり、前記第１プリアンブルと１つ又は複数の上りデータチャネルリソースとは、関連関係を有することを特徴とする
請求項１２又は１３に記載の信号伝送方法。
【請求項１５】
前記信号伝送方法は、
前記端末装置が、前記第１タイプのランダムアクセスプロセスにおいて前記ネットワーク装置に前記第１メッセージを送信した回数が第１閾値に達したと判定する場合、前記第１タイプのランダムアクセスプロセスから第２タイプのランダムアクセスプロセスにフォールバックすることを更に含むことを特徴とする
請求項１から１４のうちいずれか一項に記載の信号伝送方法。
【請求項１６】
前記信号伝送方法は、
前記端末装置が、前記ネットワーク装置に対して開始した前記第１タイプのランダムアクセスプロセスの回数が第２閾値に達したと判定する場合、前記第１タイプのランダムアクセスプロセスから第２タイプのランダムアクセスプロセスにフォールバックすることを更に含むことを特徴とする
請求項１から１４のうちいずれか一項に記載の信号伝送方法。
【請求項１７】
前記信号伝送方法は、
前記端末装置が、チャネル検出結果に基づいて、前記第１タイプのランダムアクセスプロセスから第２タイプのランダムアクセスプロセスにフォールバックすると判定することを更に含むことを特徴とする
請求項１から１４のうちいずれか一項に記載の信号伝送方法。
【請求項１８】
信号伝送方法であって、前記信号伝送方法は、
第１タイプのランダムアクセスプロセスにおいて、ネットワーク装置が端末装置からの第１メッセージを受信することであって、前記第１メッセージは、第１プリアンブル及び第１上りデータを含む、ことと、
前記ネットワーク装置が前記端末装置に第１指示情報を送信することであって、前記第１指示情報は、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる、ことと、を含む、信号伝送方法。
【請求項１９】
前記ネットワーク装置が前記第１プリアンブルを受信したが、前記第１上りデータを受信していない場合、
前記第１指示情報は、前記第１メッセージを再送することを指示するために用いられ、再送される前記第１メッセージは、前記第１上りデータを含み、又は、再送される前記第１メッセージは、第１上りデータ及び前記第１プリアンブルを含むことを特徴とする
請求項１８に記載の信号伝送方法。
【請求項２０】
再送される前記第１メッセージが前記第１上りデータを含む場合、前記第１指示情報は更に、前記第１メッセージを再送する場合、前記第１上りデータの伝送パラメータを調整することを前記端末装置に指示するために用いられることを特徴とする
請求項１９に記載の信号伝送方法。
【請求項２１】
再送される前記第１メッセージが前記第１上りデータ及び前記第１プリアンブルを含む場合、前記第１指示情報は更に、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持することを前記端末装置に指示するために用いられることを特徴とする
請求項１９に記載の信号伝送方法。
【請求項２２】
前記ネットワーク装置が前記第１プリアンブルを受信したが、前記第１上りデータを受信していない場合、
前記第１指示情報は、前記第１タイプのランダムアクセスプロセスから第２タイプのランダムアクセスプロセスにフォールバックすることを指示するために用いられることを特徴とする
請求項１８に記載の信号伝送方法。
【請求項２３】
前記第１タイプのランダムアクセスプロセスから第２タイプのランダムアクセスプロセスにフォールバックした場合、前記信号伝送方法は、
前記ネットワーク装置が、前記端末装置に、ランダムアクセス応答メッセージを含む第２メッセージを送信することと、
前記ネットワーク装置が、前記端末装置からの、前記第１上りデータを含む第３メッセージを受信することと、
前記ネットワーク装置が、前記端末装置に、競合解決メッセージを含む第４メッセージを送信することと、を更に含むことを特徴とする
請求項２２に記載の信号伝送方法。
【請求項２４】
前記ネットワーク装置が前記第１プリアンブルを受信しておらず、前記第１上りデータを受信した場合、
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含むことを特徴とする
請求項１８に記載の信号伝送方法。
【請求項２５】
再送される前記第１メッセージが前記第１プリアンブルを含む場合、第１指示情報は更に、前記第１メッセージを再送する場合、前記第１プリアンブルの伝送電力及び前記第１プリアンブルの送信回数を記録するためのカウンターを調整することを前記端末装置に指示するために用いられることを特徴とする
請求項２４に記載の信号伝送方法。
【請求項２６】
再送される前記第１メッセージが前記第１プリアンブル及び前記第１上りデータを含む場合、前記第１指示情報は更に、前記第１メッセージを再送する場合、前記第１プリアンブルの伝送電力及び前記第１プリアンブルの送信回数を記録するためのカウンターを調整し、前記第１上りデータの伝送パラメータをそのまま維持することを前記端末装置に指示するために用いられることを特徴とする
請求項２４に記載の信号伝送方法。
【請求項２７】
前記ネットワーク装置が前記第１プリアンブルを受信しておらず、前記第１上りデータを受信した場合、
前記第１指示情報は、前記第１タイプのランダムアクセスプロセスを実行し続けるために、前記第１メッセージを再送しないことを指示するために用いられることを特徴とする
請求項１８に記載の信号伝送方法。
【請求項２８】
前記第１タイプのランダムアクセスプロセスを実行し続けることは、
前記ネットワーク装置が、前記端末装置に第５メッセージを送信することであって、前記第５メッセージは、ランダムアクセス応答メッセージ及び／又は競合解決メッセージを含む、ことを更に含むことを特徴とする
請求項２７に記載の信号伝送方法。
【請求項２９】
前記第１上りデータの伝送パラメータは、伝送電力、伝送リソース、変調符号化スキームのうちの少なくとも１つを含むことを特徴とする
請求項２０、２１又は２６に記載の信号伝送方法。
【請求項３０】
前記第１上りデータの前記伝送電力は、電力オフセットパラメータを含み、前記電力オフセットパラメータは、前記第１プリアンブルの電力に対する前記第１上りデータの電力のオフセットを指示するためのものであることを特徴とする
請求項２９に記載の信号伝送方法。
【請求項３１】
前記第１上りデータの前記伝送リソースは、前記第１プリアンブルに関わる上りデータチャネルリソースであり、前記第１プリアンブルと１つ又は複数の上りデータチャネルリソースとは、関連関係を有することを特徴とする
請求項２９又は３０に記載の信号伝送方法。
【請求項３２】
信号伝送装置であって、前記信号伝送装置は、
第１タイプのランダムアクセスプロセスにおいて、ネットワーク装置に第１メッセージを送信し、前記ネットワーク装置から第１指示情報を取得するように構成される伝送ユニットであって、前記第１メッセージは、第１プリアンブル及び第１上りデータを含む、伝送ユニットと、
前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定するように構成される処理ユニットと、を備える、信号伝送装置。
【請求項３３】
前記第１指示情報は、前記第１メッセージを再送することを指示するために用いられ、再送される前記第１メッセージは、前記第１上りデータを含み、又は、再送される前記第１メッセージは、前記第１上りデータ及び前記第１プリアンブルを含むことを特徴とする
請求項３２に記載の信号伝送装置。
【請求項３４】
再送される前記第１メッセージが前記第１上りデータを含む場合、前記伝送ユニットは更に、前記第１メッセージを再送する場合、前記第１上りデータの伝送パラメータを調整するように構成されることを特徴とする
請求項３３に記載の信号伝送装置。
【請求項３５】
再送される前記第１メッセージが前記第１上りデータ及び前記第１プリアンブルを含む場合、前記伝送ユニットは更に、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持するように構成されることを特徴とする
請求項３３に記載の信号伝送装置。
【請求項３６】
前記第１指示情報は、前記第１タイプのランダムアクセスプロセスから第２タイプのランダムアクセスプロセスにフォールバックすることを指示するために用いられることを特徴とする
請求項３２に記載の信号伝送装置。
【請求項３７】
前記端末装置が前記第２タイプのランダムアクセスプロセスにフォールバックした場合、前記伝送ユニットは更に、前記ネットワーク装置からの、ランダムアクセス応答メッセージを含む第２メッセージを受信し、前記ネットワーク装置に、前記第１上りデータを含む第３メッセージを送信し、前記ネットワーク装置からの、競合解決メッセージを含む第４メッセージを受信するように構成されることを特徴とする
請求項３６に記載の信号伝送装置。
【請求項３８】
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含むことを特徴とする
請求項３２に記載の信号伝送装置。
【請求項３９】
再送される前記第１メッセージが前記第１プリアンブルを含む場合、前記伝送ユニットは更に、前記第１メッセージを再送する場合、前記第１プリアンブルの伝送電力及び前記第１プリアンブルの送信回数を記録するためのカウンターを調整するように構成されることを特徴とする
請求項３８に記載の信号伝送装置。
【請求項４０】
再送される前記第１メッセージが前記第１プリアンブル及び前記第１上りデータを含む場合、前記伝送ユニットは更に、前記第１メッセージを再送する場合、前記第１プリアンブルの伝送電力及び前記第１プリアンブルの送信回数を記録するためのカウンターを調整し、前記第１上りデータの伝送パラメータをそのまま維持するように構成されることを特徴とする
請求項３８に記載の信号伝送装置。
【請求項４１】
前記第１指示情報は、前記第１タイプのランダムアクセスプロセスを実行し続けるために、前記第１メッセージを再送しないことを指示するために用いられることを特徴とする
請求項３２に記載の信号伝送装置。
【請求項４２】
前記伝送ユニットは更に、前記ネットワーク装置からの第５メッセージを受信するように構成され、前記第５メッセージは、ランダムアクセス応答メッセージ及び／又は競合解決メッセージを含むことを特徴とする
請求項４１に記載の信号伝送装置。
【請求項４３】
前記第１上りデータの伝送パラメータは、伝送電力、伝送リソース、変調符号化スキームのうちの少なくとも１つを含むことを特徴とする
請求項３４、３５又は４０に記載の信号伝送装置。
【請求項４４】
前記第１上りデータの前記伝送電力は、電力オフセットパラメータを含み、前記電力オフセットパラメータは、前記第１プリアンブルの電力に対する前記第１上りデータの電力のオフセットを指示するためのものであることを特徴とする
請求項４３に記載の信号伝送装置。
【請求項４５】
前記第１上りデータの前記伝送リソースは、前記第１プリアンブルに関わる上りデータチャネルリソースであり、前記第１プリアンブルと１つ又は複数の上りデータチャネルリソースとは、関連関係を有することを特徴とする
請求項４３又は４４に記載の信号伝送装置。
【請求項４６】
前記処理ユニットは更に、前記第１タイプのランダムアクセスプロセスにおいて前記ネットワーク装置に前記第１メッセージを送信した回数が第１閾値に達したと判定する場合、前記第１タイプのランダムアクセスプロセスから第２タイプのランダムアクセスプロセスにフォールバックするように構成されることを特徴とする
請求項３２から４５のうちいずれか一項に記載の信号伝送装置。
【請求項４７】
前記処理ユニットは更に、前記ネットワーク装置に対して開始した前記第１タイプのランダムアクセスプロセスの回数が第２閾値に達したと判定する場合、前記第１タイプのランダムアクセスプロセスから第２タイプのランダムアクセスプロセスにフォールバックするように構成されることを特徴とする
請求項３２から４５のうちいずれか一項に記載の信号伝送装置。
【請求項４８】
前記処理ユニットは更に、チャネル検出結果に基づいて、前記第１タイプのランダムアクセスプロセスから第２タイプのランダムアクセスプロセスにフォールバックすると判定するように構成されることを特徴とする
請求項３２から４５のうちいずれか一項に記載の信号伝送装置。
【請求項４９】
信号伝送装置であって、前記信号伝送装置は、
第１タイプのランダムアクセスプロセスにおいて、端末装置からの、第１プリアンブル及び第１上りデータを含む第１メッセージを受信し、前記端末装置に第１指示情報を送信するように構成される伝送ユニットであって、前記第１指示情報は、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる、伝送ユニットを備える、信号伝送装置。
【請求項５０】
前記ネットワーク装置が前記第１プリアンブルを受信したが、前記第１上りデータを受信していない場合、
前記第１指示情報は、前記第１メッセージを再送することを指示するために用いられ、再送される前記第１メッセージは、前記第１上りデータを含み、又は、再送される前記第１メッセージは、第１上りデータ及び前記第１プリアンブルを含むことを特徴とする
請求項４９に記載の信号伝送装置。
【請求項５１】
再送される前記第１メッセージが前記第１上りデータを含む場合、前記第１指示情報は更に、前記第１メッセージを再送する場合、前記第１上りデータの伝送パラメータを調整することを前記端末装置に指示するために用いられることを特徴とする
請求項５０に記載の信号伝送装置。
【請求項５２】
再送される前記第１メッセージが前記第１上りデータ及び前記第１プリアンブルを含む場合、前記第１指示情報は更に、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持することを前記端末装置に指示するために用いられることを特徴とする
請求項５０に記載の信号伝送装置。
【請求項５３】
前記ネットワーク装置が前記第１プリアンブルを受信したが、前記第１上りデータを受信していない場合、
前記第１指示情報は、前記第１タイプのランダムアクセスプロセスから第２タイプのランダムアクセスプロセスにフォールバックすることを指示するために用いられることを特徴とする
請求項４９に記載の信号伝送装置。
【請求項５４】
前記第１タイプのランダムアクセスプロセスから第２タイプのランダムアクセスプロセスにフォールバックした場合、前記伝送ユニットは更に、前記端末装置に、ランダムアクセス応答メッセージを含む第２メッセージを送信し、前記端末装置からの、前記第１上りデータを含む第３メッセージを受信し、前記端末装置に、競合解決メッセージを含む第４メッセージを送信するように構成されることを特徴とする
請求項５３に記載の信号伝送装置。
【請求項５５】
前記ネットワーク装置が前記第１プリアンブルを受信しておらず、前記第１上りデータを受信した場合、
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含むことを特徴とする
請求項４９に記載の信号伝送装置。
【請求項５６】
再送される前記第１メッセージが前記第１プリアンブルを含む場合、第１指示情報は更に、前記第１メッセージを再送する場合、前記第１プリアンブルの伝送電力及び前記第１プリアンブルの送信回数を記録するためのカウンターを調整することを前記端末装置に指示するために用いられることを特徴とする
請求項５５に記載の信号伝送装置。
【請求項５７】
再送される前記第１メッセージが前記第１プリアンブル及び前記第１上りデータを含む場合、前記第１指示情報は更に、前記第１メッセージを再送する場合、前記第１プリアンブルの伝送電力及び前記第１プリアンブルの送信回数を記録するためのカウンターを調整し、前記第１上りデータの伝送パラメータをそのまま維持することを前記端末装置に指示するために用いられることを特徴とする
請求項５５に記載の信号伝送装置。
【請求項５８】
前記ネットワーク装置が前記第１プリアンブルを受信しておらず、前記第１上りデータを受信した場合、
前記第１指示情報は、前記第１タイプのランダムアクセスプロセスを実行し続けるために、前記第１メッセージを再送しないことを指示するために用いられることを特徴とする
請求項４９に記載の信号伝送装置。
【請求項５９】
前記伝送ユニットは更に、前記端末装置に第５メッセージを送信するように構成され、前記第５メッセージは、ランダムアクセス応答メッセージ及び／又は競合解決メッセージを含むことを特徴とする
請求項５８に記載の信号伝送装置。
【請求項６０】
前記第１上りデータの伝送パラメータは、伝送電力、伝送リソース、変調符号化スキームのうちの少なくとも１つを含むことを特徴とする
請求項５１、５２又は５７に記載の信号伝送装置。
【請求項６１】
前記第１上りデータの前記伝送電力は、電力オフセットパラメータを含み、前記電力オフセットパラメータは、前記第１プリアンブルの電力に対する前記第１上りデータの電力のオフセットを指示するためのものであることを特徴とする
請求項６０に記載の信号伝送装置。
【請求項６２】
前記第１上りデータの前記伝送リソースは、前記第１プリアンブルに関わる上りデータチャネルリソースであり、前記第１プリアンブルと１つ又は複数の上りデータチャネルリソースとは、関連関係を有することを特徴とする
請求項６０又は６１に記載の信号伝送装置。
【請求項６３】
端末装置であって、プロセッサと、メモリと、を備え、該メモリは、コンピュータプログラムを記憶するように構成され、該プロセッサは、該メモリに記憶されたコンピュータプログラムを呼び出して実行して、請求項１から１７のうちいずれか一項に記載の信号伝送方法を実行するように構成される、端末装置。
【請求項６４】
ネットワーク装置であって、プロセッサと、メモリと、を備え、該メモリは、コンピュータプログラムを記憶するように構成され、該プロセッサは、該メモリに記憶されたコンピュータプログラムを呼び出して実行して、請求項１８から３１のうちいずれか一項に記載の信号伝送方法を実行するように構成される、ネットワーク装置。
【請求項６５】
チップであって、前記チップは、メモリからコンピュータプログラムを呼び出して実行して、前記チップが搭載されている装置に請求項１から１７のうちいずれか一項に記載の信号伝送方法を実行させるように構成されるプロセッサを備える、チップ。
【請求項６６】
チップであって、前記チップは、メモリからコンピュータプログラムを呼び出して実行して、前記チップが搭載されている装置に請求項１８から３１のうちいずれか一項に記載の信号伝送方法を実行させるように構成されるプロセッサを備える、チップ。
【請求項６７】
コンピュータ可読記憶媒体であって、コンピュータプログラムを記憶するためのものであり、該コンピュータプログラムは、コンピュータに請求項１から１７のうちいずれか一項に記載の信号伝送方法を実行させる、コンピュータ可読記憶媒体。
【請求項６８】
コンピュータ可読記憶媒体であって、コンピュータプログラムを記憶するためのものであり、該コンピュータプログラムは、コンピュータに請求項１８から３１のうちいずれか一項に記載の信号伝送方法を実行させる、コンピュータ可読記憶媒体。
【請求項６９】
コンピュータプログラム製品であって、コンピュータプログラム命令を含み、該コンピュータプログラム命令は、コンピュータに請求項１から１７のうちいずれか一項に記載の信号伝送方法を実行させる、コンピュータプログラム製品。
【請求項７０】
コンピュータプログラム製品であって、コンピュータプログラム命令を含み、該コンピュータプログラム命令は、コンピュータに請求項１８から３１のうちいずれか一項に記載の信号伝送方法を実行させる、コンピュータプログラム製品。
【請求項７１】
コンピュータプログラムであって、前記コンピュータプログラムは、コンピュータに請求項１から１７のうちいずれか一項に記載の信号伝送方法を実行させる、コンピュータプログラム。
【請求項７２】
コンピュータプログラムであって、前記コンピュータプログラムは、コンピュータに請求項１８から３１のうちいずれか一項に記載の信号伝送方法を実行させる、コンピュータプログラム。
【発明の詳細な説明】
【技術分野】
【０００１】
本願の実施例は、移動通信技術分野に関し、具体的には信号伝送方法及びその装置、端末装置並びにネットワーク装置に関する。
【背景技術】
【０００２】
第５世代（５Ｇ：５ｔｈ  Ｇｅｎｅｒａｔｉｏｎ）システムにおいて、ランダムアクセスチャネル（ＲＡＣＨ：Ｒａｎｄｏｍ  Ａｃｃｅｓｓ  Ｃｈａｎｎｅｌ）プロセスで、長期的進化（ＬＴＥ：Ｌｏｎｇ  Ｔｅｒｍ  Ｅｖｏｌｕｔｉｏｎ）と類似した４段階プロセスを用いたが、４段階ＲＡＣＨ（４−ｓｔｅｐ  ＲＡＣＨ）プロセスの遅延オーバヘッドが大きいため、５Ｇにおける低遅延高信頼性シーンに適しない。新しい無線（ＮＲ：Ｎｅｗ  Ｒａｄｉｏ）の標準化プロセスにおいて、低遅延高信頼性サービスの特徴を考慮して、２段階ＲＡＣＨ（２−ｓｔｅｐ  ＲＡＣＨ）プロセスという技術的解決手段を提出した。４ステップＲＡＣＨプロセスに比べて、アクセス遅延を低減させることができる。
【０００３】
２ステップＲＡＣＨプロセスにおいて、４段階ＲＡＣＨ（ｆａｌｌｂａｃｋ  ４−ｓｔｅｐ  ＲＡＣＨ）プロセスへのフォールバックが存在する。一方で、２ステップＲＡＣＨプロセスの第１段階について、ＭＳＧ１は、プリアンブル（ｐｒｅａｍｂｌｅ）及び物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）という２部分の信号を含む。幾つかの場合、該２部分の信号は基地局により同時に受信されることがない。このような場合、端末側がＭＳＧ１に対して行う再送動作及び４ステップＲＡＣＨプロセスへのフォールバックを如何に明確にするかは、解決しようとする課題である。
【発明の概要】
【発明が解決しようとする課題】
【０００４】
本願の実施例は、ＭＳＧ１の受信状況に基づいて、端末側がＭＳＧ１に対して行う再送動作及び４段階ＲＡＣＨへのフォールバックプロセスを明確にすることができる、信号伝送方法及びその装置、端末装置並びにネットワーク装置を提供する。
【課題を解決するための手段】
【０００５】
本願の実施例が提供する信号伝送方法は、
第１タイプのランダムアクセスプロセスにおいて、端末装置がネットワーク装置に第１メッセージを送信し、前記ネットワーク装置から第１指示情報を取得することであって、前記第１メッセージは、第１プリアンブル及び第１上りデータを含む、ことと、
前記端末装置が前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定することと、を含む。
【０００６】
本願の実施例が提供する信号伝送方法は、
第１タイプのランダムアクセスプロセスにおいて、ネットワーク装置が端末装置からの第１メッセージを受信することであって、前記第１メッセージは、第１プリアンブル及び第１上りデータを含む、ことと、
前記ネットワーク装置が前記端末装置に第１指示情報を送信することであって、前記第１指示情報は、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる、ことと、を含む。
【０００７】
本願の実施例が提供する信号伝送装置は、
第１タイプのランダムアクセスプロセスにおいて、ネットワーク装置に第１メッセージを送信し、前記ネットワーク装置から第１指示情報を取得するように構成される伝送ユニットであって、前記第１メッセージは、第１プリアンブル及び第１上りデータを含む、伝送ユニットと、
前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定するように構成される処理ユニットと、を備える。
【０００８】
本願の実施例が提供する信号伝送装置は、
第１タイプのランダムアクセスプロセスにおいて、端末装置からの、第１プリアンブル及び第１上りデータを含む第１メッセージを受信し、前記端末装置に第１指示情報を送信するように構成される伝送ユニットであって、前記第１指示情報は、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる、伝送ユニットを備える。
【０００９】
本願の実施例が提供する端末装置は、プロセッサと、メモリと、を備える。該メモリは、コンピュータプログラムを記憶するように構成され、該プロセッサは、該メモリに記憶されたコンピュータプログラムを呼び出して実行し、上記信号伝送方法を実行するように構成される。
【００１０】
本願の実施例が提供するネットワーク装置は、プロセッサと、メモリと、を備える。該メモリは、コンピュータプログラムを記憶するように構成され、該プロセッサは、該メモリに記憶されたコンピュータプログラムを呼び出して実行し、上記信号伝送方法を実行するように構成される。
【００１１】
本願の実施例が提供するチップは、上記信号伝送方法を実現させるように構成される。
【００１２】
具体的には、該チップは、メモリからコンピュータプログラムを呼び出して実行し、該チップが搭載されている装置に上記信号伝送方法を実行させるように構成されるプロセッサを備える。
【００１３】
本願の実施例が提供するコンピュータ可読記憶媒体は、コンピュータプログラムを記憶するためのものであり、該コンピュータプログラムは、コンピュータに上記信号伝送方法を実行させる。
【００１４】
本願の実施例が提供するコンピュータプログラム製品は、コンピュータプログラム命令を含み、該コンピュータプログラム命令は、コンピュータに上記信号伝送方法を実行させる。
【００１５】
本願の実施例が提供するコンピュータプログラムは、コンピュータで実行される時、コンピュータに上記信号伝送方法を実行させる。
【発明の効果】
【００１６】
上記技術的解決手段によれば、第１タイプのランダムアクセスプロセス（即ち、２ステップＲＡＣＨプロセス）において、端末装置は、第１メッセージ（即ち、ＭＳＧ１）に基づいて、ネットワーク装置に第１プリアンブル及び第１上りデータを同時に送信する。ネットワーク装置は、完全な第１メッセージを受信していない場合、第１メッセージを再送するかどうか又は第２タイプのランダムアクセスプロセス（即ち、４ステップＲＡＣＨプロセス）にフォールバックするかどうかを端末装置に指示する。これにより、端末装置は、第１メッセージの受信状況に基づいて、適当な方式で、第１メッセージを再送するか又は第２タイプのランダムアクセスプロセスに直接的にフォールバックすることができる。これにより、上り干渉及び電力消費を低減させる。
【図面の簡単な説明】
【００１７】
【図１】本願の実施例による通信システムアーキテクチャを示す概略図である。
【図２】本願の実施例による４−ｓｔｅｐ  ＲＡＣＨプロセスを示す概略図である。
【図３】本願の実施例による２−ｓｔｅｐ  ＲＡＣＨプロセスを示す概略図である。
【図４】本願の実施例による２−ｓｔｅｐ  ＲＡＣＨプロセスにおける第１段階で伝送される情報を示す概略図である。
【図５】本願の実施例による情報伝送方法を示す第１フローチャートである。
【図６】本願の実施例による情報伝送方法を示す第２フローチャートである。
【図７】本願の実施例による情報伝送装置の構造を示す第１概略図である。
【図８】本願の実施例による情報伝送装置の構造を示す第２概略図である。
【図９】本願の実施例による通信装置の構造を示す概略図である。
【図１０】本願の実施例によるチップの構造を示す概略図である。
【図１１】本願の実施例による通信システムを示すブロック図である。
【００１８】
ここの図面は、本願の一層の理解のために含めたものであり、本願の一部となる。本願の概略的な実施例及びその説明は、本願の解説に用いるものであるが、本願を不当に限定するものではない。
【発明を実施するための形態】
【００１９】
以下、本願の実施例における図面を参照しながら、本願の実施例における技術的解決手段を説明する。勿論、記述される実施例は、全ての実施例ではなく、ただ本願の一部の実施例である。本願における実施例に基づいて、当業者が創造的な労力なしに得られる他の実施例の全ては、本願の保護の範囲に含まれる。
【００２０】
本願の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｒ  Ｒａｄｉｏ  Ｓｅｒｖｉｃｅ：ＧＰＲＳ）、長期的進化（Ｌｏｎｇ  Ｔｅｒｍ  Ｅｖｏｌｕｔｉｏｎ：ＬＴＥ）システム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム又は５Ｇシステムといった種々の通信システムに適用されてもよい。
【００２１】
例示的には、本願の実施例に適用した通信システム１００は図１に示すとおりである。該通信システム１００は、ネットワーク装置１１０を備えてもよい。ネットワーク装置１１０は、端末１２０（通信端末、端末とも呼ばれる）と通信を行う装置であってもよい。ネットワーク装置１１０は、特定の地理的エリアに対して通信カバレッジを提供し、且つ該カバレッジ内に位置する端末装置と通信を行うことができる。任意選択的に、該ネットワーク装置１１０は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、該ネットワーク装置は、モバイルスイッチングセンタ、中継局、アクセスポイント、車載装置、ウェアラブル装置、ハブ、スイッチ、ブリッジ、ルータ、５Ｇネットワークにおけるネットワーク側装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）におけるネットワーク装置等であってもよい。
【００２２】
該通信システム１００は、ネットワーク装置１１０のカバレッジ範囲内に位置する少なくとも１つの端末装置１２０を更に備える。ここで使用される「端末装置」は、公衆交換電話網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）、デジタル加入者回線（Ｄｉｇｉｔａｌ  Ｓｕｂｓｃｒｉｂｅｒ  Ｌｉｎｅ：ＤＳＬ）、デジタルケーブル、直接ケーブルのような有線回線を経由して接続される装置、及び／又は別のデータ接続／ネットワークを経由して接続される装置、及び／又はセルラーネットワーク、無線ローカルエリアネットワーク（Ｗｉｒｅｌｅｓｓ  Ｌｏｃａｌ  Ａｒｅａ  Ｎｅｔｗｏｒｋ：ＷＬＡＮ）、ＤＶＢ−Ｈ  ネットワークのようなデジタルテレビジョンネットワーク、衛星ネットワーク、ＡＭ−ＦＭ放送送信機のような無線インタフェースを経由して接続される装置、及び／又は別の端末における、通信信号を受信／送信するように構成される装置、及び／又はモノのインターネット（Ｉｎｔｅｒｎｅｔ  ｏｆ  Ｔｈｉｎｇｓ：ＩｏＴ）装置を含むが、これらに限定されない。無線通信インタフェースを経由して通信を行うように構成される端末は、「無線通信端末」、「無線端末」、又は「携帯端末」と呼ばれてもよい。携帯端末の例は、衛星電話またはセルラー電話、セルラー無線電話とデータ処理、ファクシミリ及びデータ通信能力とを組み合わせることができるパーソナル通信システム（  Ｐｅｒｓｏｎａｌ  Ｃｏｍｍｕｎｉｃａｔｉｏｎｓ  Ｓｙｓｔｅｍ：ＰＣＳ）端末、無線電話、ページング装置、インターネット／イントラネットアクセス、Ｗｅｂブラウザ、メモ帳、カレンダ及び／又は全地球測位システム（Ｇｌｏｂａｌ  Ｐｏｓｉｔｉｏｎｉｎｇ  Ｓｙｓｔｅｍ：ＧＰＳ）受信機を含むＰＤＡ、及び従来のラップトップ及び／又はパームトップ受信機又は無線電話送受信機を含む他の電子機器を含むが、これらに限定されない。端末は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末装置、移動装置、ユーザ端末装置、端末装置、無線通信装置、ユーザ用エージェント又はユーザ装置であってもよい。アクセス端末装置は、セルラー電話、コードレス電話、セッション開始プロトコル（Ｓｅｓｓｉｏｎ  Ｉｎｉｔｉａｔｉｏｎ  Ｐｒｏ
ｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、５Ｇネットワークにおける端末装置又は将来の進化型ＰＬＭＮにおける端末装置等であってもよい。
【００２３】
任意選択的に、端末装置１２０同士は、端末装置間（Ｄｅｖｉｃｅ  ｔｏ  Ｄｅｖｉｃｅ：Ｄ２Ｄ）での通信を行うことができる。
【００２４】
任意選択的に、５Ｇシステム又は５Ｇネットワークは、新しい無線（Ｎｅｗ  Ｒａｄｉｏ：ＮＲ）システム又はＮＲネットワークと呼ばれてもよい。
【００２５】
図１は、１つのネットワーク装置及び２つの端末装置を例示的に示す。任意選択的に、該通信システム１００は、複数のネットワーク装置を備えてもよく、また各ネットワーク装置のカバレッジに、他の数の端末装置が含まれてもよく、本発明の実施例はこれを限定するものではない。
【００２６】
任意選択的に、該通信システム１００は、ネットワークコントローラ、移動管理エンティティ等の他のネットワークエンティティを備えてもよく、本発明は、これを限定するものではない。
【００２７】
本願の実施例のネットワーク／システムにおける通信機能を有する装置は、通信装置と呼ばれてもよいことが理解されるべきである。図１に示す通信システム１００を例として、通信装置は、通信機能を有するネットワーク装置１１０及び端末装置１２０を備えてもよく、ネットワーク装置１１０及び端末装置１２０は、上述した具体的な装置であってもよく、ここで詳細な説明を省略する。通信装置は、ネットワークコントローラ、移動管理エンティティ等の他のネットワークエンティティのような、通信システム１００における他の装置を備えてもよく、本願の実施例はこれを限定するものではない。
【００２８】
本明細書における「システム」及び「ネットワーク」という用語は、本明細書において互換的に用いられてよいことが理解されるべきである。本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【００２９】
本願の技術的解決手段を理解しやすくするために、以下、４ステップＲＡＣＨプロセス及び２ステップＲＡＣＨプロセスを説明する。
【００３０】
図２を参照する場合、４ステップＲＡＣＨプロセスは、４つのステップを含む。該４つのステップはそれぞれ以下のとおりである。
【００３１】
第１ステップ（ｓｔｅｐ１）において、端末装置は、ＭＳＧ１（Ｍｅｓｓａｇｅ  １）により基地局にプリアンブル（即ち、プリアンブルシーケンス）を送信する。ここのプリアンブルは、ランダムに選択されたプリアンブルである。
【００３２】
第２ステップ（ｓｔｅｐ２）において、基地局は、端末装置から送信されたプリアンブルを検出した後、ＭＳＧ２（Ｍｅｓｓａｇｅ  ２）により、端末装置にランダムアクセス応答（ＲＡＲ：Ｒａｎｄｏｍ  Ａｃｃｅｓｓ  Ｒｅｓｐｏｎｓｅ）を送信し、ＭＳＧ３（Ｍｅｓｓａｇｅ  ３）を送信する時に利用可能な上りリソース情報を端末装置に知らせ、端末装置のために、無線ネットワーク一時的識別子（ＲＮＴＩ：Ｒａｄｉｏ  Ｎｅｔｗｏｒｋ  Ｔｅｍｐｏｒｙ  Ｉｄｅｎｔｉｔｙ）を割り当て、端末装置にタイミングアドバンス命令（ｔｉｍｅ  ａｄｖａｎｃｅ  ｃｏｍｍａｎｄ）などを提供する。
【００３３】
第３ステップ（ｓｔｅｐ３）において、端末装置は、ランダムアクセス応答を受信した後、ランダムアクセス応答メッセージにより指定された上りリソースでＭＳＧ３メッセージを送信する。ここで、１つの端末装置の特定の一時的識別子情報が搬送されている。
【００３４】
第４ステップ（ｓｔｅｐ４）において、基地局は、ＭＳＧ４（Ｍｅｓｓａｇｅ  ４）により、端末装置に競合解決メッセージを送信すると同時に、端末装置に上り伝送リソースを割り当てる。端末装置は、基地局からのＭＳＧ４を受信した場合、端末装置がＭＳＧ３で送信した端末装置の特定の一時的識別子が基地局からの競合解決メッセージに含まれるかどうかを検出し、含まれると、端末装置のランダムアクセスプロセスに成功したと認められ、含まれないと、ランダムアクセスプロセスに失敗したと認められ、端末装置は、第１ステップからランダムアクセスプロセスを再び開始する必要がある。
【００３５】
４ステップＲＡＣＨプロセスの遅延オーバヘッドが大きく、ＮＲの標準化プロセスにおいて、低遅延高信頼性サービスの特徴を考慮して、２ステップＲＡＣＨプロセスの解決手段を提出した。４ステップＲＡＣＨプロセスに比べて、アクセス遅延を減少させることができる。図３を参照する場合、２ステップＲＡＣＨプロセスは、２つのステップを含む。該２つのステップはそれぞれ以下のとおりである。
【００３６】
第１ステップ（ｓｔｅｐ１）において、端末装置は、ＭＳＧ１により、基地局にプリアンブル（即ち、プリアンブルシーケンス）及び他の情報を送信する。
【００３７】
ここで、他の情報は、上りデータと呼ばれてもよい。他の情報は、物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）により送信される。それは、例えば、端末装置の特定の一時的識別子情報である。
【００３８】
第２ステップ（ｓｔｅｐ２）において、基地局は、端末装置からのＰＵＳＣＨを検出した後、ＭＳＧ２により、端末装置にランダムアクセス応答メッセージ及び競合解決メッセージを送信する。
【００３９】
２ステップＲＡＣＨプロセスにおいて、４ステップＲＡＣＨプロセスの第１ステップと第３ステップを組み合わせて２ステップＲＡＣＨプロセスにおける第１ステップを形成し、４ステップＲＡＣＨプロセスの第２ステップと第４ステップを組み合わせて２ステップＲＡＣＨプロセスにおける第２ステップを形成することに相当する。従って、２段階ＲＡＣＨの第１ステップにおいて、端末装置は、プリアンブル（Ｐｒｅａｍｂｌｅ）及びＰＵＳＣＨを送信する必要がある。図４に示すように、ここで、プリアンブルの前及びプリアンブルとＰＵＳＣＨとの間にサイクリックプレフィックス（ＣＰ：Ｃｙｃｌｉｃ  Ｐｒｅｆｉｘ）が設定され、ＰＵＳＣＨの後に、ガードタイムスロット（ＧＴ：Ｇｕａｒａｎｔｅｅｄ  Ｔｉｍｅ）が設定される。
【００４０】
２ステップＲＡＣＨプロセスにおいて、４ステップＲＡＣＨプロセスへのフォールバックが存在する。１つのシーンにおいて、ネットワークは、プリアンブル及びＰＵＳＣＨを検出した場合、２ステップＲＡＣＨプロセスを用いる。ネットワークは、プリアンブルのみを検出した場合、４ステップＲＡＣＨプロセスにフォールバックする。
【００４１】
２ステップＲＡＣＨプロセスにおいて、ＭＳＧ１は、プリアンブル及びＰＵＳＣＨという２部分を含む。幾つかの場合、該２部分の信号は基地局により同時に受信されない。この場合、ＭＳＧ１を再送する必要がある。
【００４２】
図５は、本願の実施例による情報伝送方法を示す第１フローチャートである。図５に示すように、前記情報伝送方法は、下記ステップを含む。
【００４３】
ステップ５０１において、第１タイプのランダムアクセスプロセスにおいて、端末装置がネットワーク装置に第１メッセージを送信し、前記ネットワーク装置から第１指示情報を取得し、前記第１メッセージは、第１プリアンブル及び第１上りデータを含む。
【００４４】
本願の実施例において、前記端末装置は、携帯電話、タブレット、ノートパソコン、車載端末装置などのような、ネットワーク装置と通信できる如何なる装置であってもよい。
【００４５】
本願の実施例において、前記ネットワーク装置は、例えば、５ＧにおけるｇＮＢ、ＬＴＥにおけるｅＮＢ等のような基地局である。
【００４６】
本願の実施例において、端末装置は、２ステップＲＡＣＨプロセス（図３を参照する）を実行することができ、４ステップＲＡＣＨプロセス（図２を参照する）を実行することもできる。ここで、２ステップＲＡＣＨプロセスは、第１タイプのランダムアクセスプロセスとも呼ばれ、４ステップＲＡＣＨプロセスは、第２タイプのランダムアクセスプロセスと呼ばれる。
【００４７】
一実施形態において、端末装置は、遅延を低減させるために、第１タイプのランダムアクセスプロセス（即ち、２ステップＲＡＣＨプロセス）を実行する必要がある。このため、端末装置は、第１ステップにおいて、第１メッセージにより、ネットワーク装置に第１プリアンブル及び第１上りデータを送信する必要がある。ここで、第１メッセージは、ＭＳＧ１と呼ばれてもよい。第１上りデータは、ＰＵＳＣＨで送信され、第１上りデータは、例えば、端末装置の特定の一時的識別子情報を含む。
【００４８】
端末装置は、第１プリアンブル及び第１上りデータチャネルを送信した後、前記ネットワークからの第１指示情報を受信する。具体的には、ネットワーク装置は、第１メッセージに対する受信状況に基づいて、第１指示情報を決定する。ここで、ネットワーク装置による第１メッセージの受信状況は、下記を含む。１）ネットワーク装置が第１プリアンブルのみを受信した。２）ネットワーク装置が第１上りデータのみを受信した。３）ネットワーク装置が第１プリアンブル及び第１上りデータを同時に受信した。４）ネットワーク装置が第１プリアンブル及び第１上りデータを受信していない。ここで、ネットワーク装置が決定できる受信状況は、上記１）、２）及び３）である。受信状況４）について、端末装置により決定される。受信状況３）について、ネットワーク装置及び端末装置は、引き続き、第１タイプのランダムアクセスプロセスである２ステップＲＡＣＨプロセスを実行することができる。受信状況１）及び２）について、ネットワーク装置が端末装置に第１指示情報を送信する必要がある。ここで、第１指示情報は、前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる。更に、第１指示情報は、前記第１メッセージを前記ネットワーク装置に再送するかどうかを前記端末装置に指示するために用いられると、前記第１指示情報は、再送される前記第１メッセージに含まれるコンテンツ及び対応する伝送パラメータを更に指示する。
【００４９】
ステップ５０２において、前記端末装置は、前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定する。
【００５０】
本願の実施例において、第１指示情報により指示された具体的な動作は、ネットワーク装置による第１メッセージの受信状況によって決定される。一実施形態において、第１指示情報の実現形態は、明示的な指示及び暗黙的な指示を含む。明示的な指示形態は、２ステップＲＡＣＨプロセスのＭＳＧ２で第１指示情報を明示的に搬送することを含む。暗黙的な指示形態は、ＭＳＧ２を送信するためのＰＤＣＣＨのスクランブリングに用いられるＲＮＴＩに基づいて第１指示情報を決定することを含む。以下、ネットワーク装置による第１メッセージの受信状況を参照しながら、第１指示情報により指示された具体的な動作を説明する。
【００５１】
１）ネットワーク装置が第１プリアンブルのみを受信した
１．１）前記第１指示情報は、前記第１メッセージを再送することを指示するために用いられる。ここで、再送される前記第１メッセージは、前記第１上りデータを含む。又は、再送される前記第１メッセージは、第１上りデータ及び前記第１プリアンブルを含む。
【００５２】
再送される前記第１メッセージが前記第１上りデータを含む場合、前記端末装置は、前記第１メッセージを再送する場合、前記第１上りデータの伝送パラメータを調整する。
【００５３】
再送される前記第１メッセージが前記第１上りデータ及び前記第１プリアンブルを含む場合、前記端末装置は、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持する。
【００５４】
ここで、前記第１上りデータの伝送パラメータは、伝送電力、伝送リソース、変調符号化スキーム（ＭＣＳ：Ｍｏｄｕｌａｔｉｏｎ  ａｎｄ  Ｃｏｄｉｎｇ  Ｓｃｈｅｍｅ）のうちの少なくとも１つを含む。
【００５５】
ここで、前記第１上りデータの前記伝送電力は、電力オフセットパラメータ（ｐｏｗｅｒ  ｏｆｆｓｅｔ）を含み、前記電力オフセットパラメータは、前記第１プリアンブルの電力に対する前記第１上りデータの電力のオフセットを指示するために用いられる。
【００５６】
ここで、前記第１上りデータの前記伝送リソースは、前記第１プリアンブルに関わる上りデータチャネルリソースである。ここで、前記第１プリアンブルと１つ又は複数の上りデータチャネルリソースとは、関連関係を有する。
【００５７】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ｐｒｅａｍｂｌｅのみを受信した。ネットワーク装置は、ＭＳＧ１を再送することを端末装置に指示する。ＭＳＧ１は、ＰＵＳＣＨのみを含み、ｐｒｅａｍｂｌｅを含まなくてもよい。ＰＵＳＣＨ及びｐｒｅａｍｂｌｅを同時に含んでもよい。再送されるＭＳＧ１がＰＵＳＣＨ及びｐｒｅａｍｂｌｅを同時に含むと、ｐｒｅａｍｂｌｅの電力及びｐｒｅａｍｂｌｅ送信回数の計数を増加することなく、ＰＵＳＣＨの伝送パラメータを調整する。再送されるＭＳＧ１がＰＵＳＣＨのみを含むと、ＰＵＳＣＨの伝送パラメータを調整する必要がある。ここで、ＰＵＳＣＨの伝送パラメータを調整することは、ＰＵＳＣＨのｐｏｗｅｒ  ｏｆｆｓｅｔを調整すること、及び／又はｐｒｅａｍｂｌｅに関わる他のＰＵＳＣＨリソースを用いること、及び／又はＰＵＳＣＨのＭＣＳ方式を調整することなどを含む。
【００５８】
１．２）前記第１指示情報は、前記第１タイプのランダムアクセスプロセスから第２タイプのランダムアクセスプロセスにフォールバックすることを指示するために用いられる。
【００５９】
具体的には、前記端末装置は、前記ネットワーク装置からの第２メッセージを受信する。前記第２メッセージは、ランダムアクセス応答メッセージを含む。前記端末装置は、前記ネットワーク装置に第３メッセージを送信する。前記第３メッセージは、第１上りデータを含む。前記端末装置は、前記ネットワーク装置からの第４メッセージを受信する。前記第４メッセージは、競合解決メッセージを含む。
【００６０】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ｐｒｅａｍｂｌｅのみを受信した。ネットワーク装置は、４ステップＲＡＣＨプロセスにフォールバックすることを端末装置に指示する。端末装置は、続いて、４ステップＲＡＣＨプロセスを実行する。この場合、２ステップＲＡＣＨプロセスのＭＳＧ１で受信されたｐｒｅａｍｂｌｅを、４ステップＲＡＣＨプロセスにおけるＭＳＧ１とする。ネットワーク装置は、続いて、端末装置に４ステップＲＡＣＨプロセスのＲＡＲメッセージを送信する。
【００６１】
２）ネットワーク装置が第１上りデータのみを受信した
ネットワーク装置が第１上りデータのみを受信した可能性は低い。４ステップＲＡＣＨプロセスにおいて、先行ｐｒｅａｍｂｌｅがオープンループ電力制御を行う。基地局は、ｐｒｅａｍｂｌｅを受信した後、ＲＡＲをフィードバックする。ＵＥは、ＭＳＧ３を搬送するＰＵＳＣＨを送信する。ｐｒｅａｍｂｌｅの電力は、基地局により検出されるに不十分であると、ＰＵＳＣＨがｇＮＢにより検出された可能性が大きくないが、本願の実施例は、ネットワーク装置がＰＵＳＣＨのみを受信した場合を排除しない。
【００６２】
２．１）前記第１指示情報は、前記第１メッセージを再送することを指示するために用いられる。ここで、再送される前記第１メッセージは、前記第１プリアンブルを含む。又は、再送される前記第１メッセージは、前記第１プリアンブル及び前記第１上りデータを含む。
【００６３】
再送される前記第１メッセージが前記第１プリアンブルを含む場合、前記端末装置は、前記第１メッセージを再送する場合、前記第１プリアンブルの伝送電力及び前記第１プリアンブルの送信回数を記録するためのカウンターを調整する。
【００６４】
再送される前記第１メッセージが前記第１プリアンブル及び前記第１上りデータを含む場合、前記端末装置は、前記第１メッセージを再送する場合、前記第１プリアンブルの伝送電力及び前記第１プリアンブルの送信回数を記録するためのカウンターを調整し、前記第１上りデータの伝送パラメータをそのまま維持する。
【００６５】
ここで、前記第１上りデータの伝送パラメータは、伝送電力、伝送リソース、変調符号化スキームのうちの少なくとも１つを含む。
【００６６】
ここで、前記第１上りデータの前記伝送電力は、電力オフセットパラメータ（ｐｏｗｅｒ  ｏｆｆｓｅｔ）を含む。前記電力オフセットパラメータは、前記第１プリアンブルの電力に対する前記第１上りデータの電力のオフセットを指示するためのものである。
【００６７】
ここで、前記第１上りデータの前記伝送リソースは、前記第１プリアンブルに関わる上りデータチャネルリソースである。ここで、前記第１プリアンブルと１つ又は複数の上りデータチャネルリソースとは、関連関係を有する。
【００６８】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ＰＵＳＣＨのみを受信した。ネットワーク装置は、ＭＳＧ１を再送することを端末装置に指示する。ＭＳＧ１は、ｐｒｅａｍｂｌｅのみを含み、ＰＵＳＣＨを含まなくてもよい。ｐｒｅａｍｂｌｅ及びＰＵＳＣＨを同時に含んでもよい。再送されるＭＳＧ１がｐｒｅａｍｂｌｅ及びＰＵＳＣＨを同時に含むと、ｐｒｅａｍｂｌｅの電力及び係数を増加し、ＰＵＳＣＨの伝送パラメータをそのままにしてもよい。再送されるＭＳＧ１がｐｒｅａｍｂｌｅのみを含むと、ｐｒｅａｍｂｌｅの電力及び係数を増加する必要がある。
【００６９】
２．２）前記第１指示情報は、前記第１メッセージを再送しないことを指示するために用いられる。従って、前記第１タイプのランダムアクセスプロセスを実行し続ける。
【００７０】
具体的には、前記端末装置は、前記ネットワーク装置からの第５メッセージを受信する。前記第５メッセージは、ランダムアクセス応答メッセージ及び／又は競合解決メッセージを含む。
【００７１】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ＰＵＳＣＨのみを受信した。ネットワーク装置は、ＭＳＧ１を再送しないことを端末装置に指示する。従って、２ステップＲＡＣＨプロセスを引き続き実行する。つまり、ネットワーク装置は、端末装置にＭＳＧ２を送信する。ここで、ＭＳＧ１のＰＵＳＣＨは、ネットワーク装置により成功して受信された。ここでＵＥ識別子情報が搬送されている。ＭＳＧ２により、競合解決を行うことができる。ＭＳＧ１を再送する必要がない。
【００７２】
３）ネットワーク装置は、第１プリアンブルを受信していないだけでなく、第１上りデータも受信していない
このような状況は、端末自体により判定される。端末装置は、ネットワーク装置に第１プリアンブル及び第１上りデータを送信した後、所定の期間内でネットワーク装置からの応答を受信していないと、ネットワーク装置が第１プリアンブルを受信していないだけでなく、第１上りデータも受信していないと判定することができる。端末装置は、前記ネットワーク装置が前記第１プリアンブル及び前記第１上りデータを受信していないと判定した場合、前記端末装置は、前記第１メッセージを再送する。ここで、再送される前記第１メッセージは、前記第１上りデータ及び前記第１プリアンブルを含む。
【００７３】
３．１）前記端末装置は、前記第１メッセージを再送する場合、前記第１プリアンブルの伝送電力及び前記第１プリアンブルの送信回数を記録するためのカウンターを調整し、前記第１上りデータの伝送パラメータをそのまま維持する。
【００７４】
３．２）前記端末装置は、前記第１メッセージを再送する場合、前記第１プリアンブルの伝送電力及び前記第１プリアンブルの送信回数を記録するためのカウンターを調整し、前記第１上りデータの伝送パラメータを調整する。
【００７５】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。端末装置は、所定の期間内でネットワーク装置からの応答を受信していないと、ＭＳＧ１を再送する。ＭＳＧ１は、ｐｒｅａｍｂｌｅ及びＰＵＳＣＨを同時に含む。ここで、ｐｒｅａｍｂｌｅの電力及び係数を増加し、ＰＵＳＣＨの伝送パラメータをその維持してもよく、調整してもよい。
【００７６】
一実施形態において、前記端末装置は、前記第１タイプのランダムアクセスプロセスにおいて前記ネットワーク装置に前記第１メッセージを送信した回数が第１閾値に達したと判定する場合、前記第１タイプのランダムアクセスプロセスから第２タイプのランダムアクセスプロセスにフォールバックする。例を挙げると、端末装置は、一回の２ステップＲＡＣＨプロセスにおいて、ネットワーク装置にＭＳＧ１を送信した回数がＮ回（例えば５回）に達した場合、前記第１タイプのランダムアクセスプロセスから第２タイプのランダムアクセスプロセスにフォールバックする。
【００７７】
一実施形態において、前記端末装置は、前記ネットワーク装置に対して開始した前記第１タイプのランダムアクセスプロセスの回数が第２閾値に達したと判定する場合、前記第１タイプのランダムアクセスプロセスから第２タイプのランダムアクセスプロセスにフォールバックする。例を挙げると、端末装置がネットワーク装置に対して開始した２ステップＲＡＣＨプロセスの回数がＭ回（例えば３回）に達した場合、前記第１タイプのランダムアクセスプロセスから第２タイプのランダムアクセスプロセスにフォールバックする。
【００７８】
一実施形態において、前記端末装置は、チャネル検出結果に基づいて、前記第１タイプのランダムアクセスプロセスから第２タイプのランダムアクセスプロセスにフォールバックすると判定する。例を挙げると、前記端末装置は、２ステップＲＡＣＨプロセスにおいて、経路ロスが閾値を超えることを検出した場合、前記第１タイプのランダムアクセスプロセスから第２タイプのランダムアクセスプロセスにフォールバックする。
【００７９】
図６は、本願の実施例による情報伝送方法を示す第２フローチャートである。図６に示すように、前記情報伝送方法は、下記ステップを含む。
【００８０】
ステップ６０１において、第１タイプのランダムアクセスプロセスにおいて、ネットワーク装置が端末装置からの第１メッセージを受信し、前記第１メッセージは、第１プリアンブル及び第１上りデータを含む。
【００８１】
本願の実施例において、前記ネットワーク装置は、例えば、５ＧにおけるｇＮＢ、ＬＴＥにおけるｅＮＢ等のような基地局である。
【００８２】
本願の実施例において、前記端末装置は、携帯電話、タブレット、ノートパソコン、車載端末装置などのような、ネットワーク装置と通信できる如何なる装置であってもよい。
【００８３】
本願の実施例において、端末装置は、２ステップＲＡＣＨプロセス（図３を参照する）を実行することができ、４ステップＲＡＣＨプロセス（図２を参照する）を実行することもできる。ここで、２ステップＲＡＣＨプロセスは、第１タイプのランダムアクセスプロセスとも呼ばれ、４ステップＲＡＣＨプロセスは、第２タイプのランダムアクセスプロセスと呼ばれる。
【００８４】
一実施形態において、端末装置は、遅延を低減させるために、第１タイプのランダムアクセスプロセス（即ち、２ステップＲＡＣＨプロセス）を実行する必要がある。このため、端末装置は、第１ステップにおいて、第１メッセージにより、ネットワーク装置に第１プリアンブル及び第１上りデータを送信する必要がある。ここで、第１メッセージは、ＭＳＧ１と呼ばれてもよい。第１上りデータは、ＰＵＳＣＨで送信され、第１上りデータは、例えば、端末装置の特定の一時的識別子情報を含む。端末装置は、第１プリアンブル及び第１上りデータチャネルを送信した後、ネットワーク装置による第１メッセージの受信状況は、下記を含む。１）ネットワーク装置が第１プリアンブルのみを受信した。２）ネットワーク装置が第１上りデータのみを受信した。３）ネットワーク装置が第１プリアンブル及び第１上りデータを同時に受信した。４）ネットワーク装置が第１プリアンブル及び第１上りデータを受信していない。ここで、ネットワーク装置が決定できる受信状況は、上記１）、２）及び３）である。受信状況４）について、端末装置により決定される。受信状況３）について、ネットワーク装置及び端末装置は、引き続き、第１タイプのランダムアクセスプロセスである２ステップＲＡＣＨプロセスを実行することができる。受信状況１）及び２）について、ネットワーク装置が端末装置に第１指示情報を送信する必要がある。ここで、第１指示情報は、前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる。更に、第１指示情報は、前記第１メッセージを前記ネットワーク装置に再送するかどうかを前記端末装置に指示するために用いられると、前記第１指示情報は、再送される前記第１メッセージに含まれるコンテンツ及び対応する伝送パラメータを更に指示する。
【００８５】
ステップ６０２において、前記ネットワーク装置が前記端末装置に第１指示情報を送信し、前記第１指示情報は、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる。
【００８６】
本願の実施例において、第１指示情報により指示された具体的な動作は、ネットワーク装置による第１メッセージの受信状況によって決定される。一実施形態において、第１指示情報の実現形態は、明示的な指示及び暗黙的な指示を含む。明示的な指示形態は、２ステップＲＡＣＨプロセスのＭＳＧ２で第１指示情報を明示的に搬送することを含む。暗黙的な指示形態は、ＭＳＧ２を送信するためのＰＤＣＣＨのスクランブリングに用いられるＲＮＴＩに基づいて第１指示情報を決定することを含む。以下、ネットワーク装置による第１メッセージの受信状況を参照しながら、第１指示情報により指示された具体的な動作を説明する。
【００８７】
１）前記ネットワーク装置が前記第１プリアンブルを受信したが、前記第１上りデータを受信していない場合
１．１）前記第１指示情報は、前記第１メッセージを再送することを指示するために用いられる。ここで、再送される前記第１メッセージは、前記第１上りデータを含む。又は、再送される前記第１メッセージは、第１上りデータ及び前記第１プリアンブルを含む。
【００８８】
再送される前記第１メッセージが前記第１上りデータを含む場合、前記第１指示情報は更に、前記第１メッセージを再送する場合、前記第１上りデータの伝送パラメータを調整することを前記端末装置に指示するために用いられる。
【００８９】
再送される前記第１メッセージが前記第１上りデータ及び前記第１プリアンブルを含む場合、前記第１指示情報は更に、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持することを前記端末装置に指示するために用いられる。
【００９０】
ここで、前記第１上りデータの伝送パラメータは、伝送電力、伝送リソース、変調符号化スキーム（ＭＣＳ）のうちの少なくとも１つを含む。
【００９１】
ここで、前記第１上りデータの前記伝送電力は、電力オフセットパラメータ（ｐｏｗｅｒ  ｏｆｆｓｅｔ）を含み、前記電力オフセットパラメータは、前記第１プリアンブルの電力に対する前記第１上りデータの電力のオフセットを指示するために用いられる。
【００９２】
ここで、前記第１上りデータの前記伝送リソースは、前記第１プリアンブルに関わる上りデータチャネルリソースである。ここで、前記第１プリアンブルと１つ又は複数の上りデータチャネルリソースとは、関連関係を有する。
【００９３】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ｐｒｅａｍｂｌｅのみを受信した。ネットワーク装置は、ＭＳＧ１を再送することを端末装置に指示する。ＭＳＧ１は、ＰＵＳＣＨのみを含み、ｐｒｅａｍｂｌｅを含まなくてもよい。ＰＵＳＣＨ及びｐｒｅａｍｂｌｅを同時に含んでもよい。再送されるＭＳＧ１がＰＵＳＣＨ及びｐｒｅａｍｂｌｅを同時に含むと、ｐｒｅａｍｂｌｅの電力及びｐｒｅａｍｂｌｅ送信回数の計数を増加することなく、ＰＵＳＣＨの伝送パラメータを調整する。再送されるＭＳＧ１がＰＵＳＣＨのみを含むと、ＰＵＳＣＨの伝送パラメータを調整する必要がある。ここで、ＰＵＳＣＨの伝送パラメータを調整することは、ＰＵＳＣＨのｐｏｗｅｒ  ｏｆｆｓｅｔを調整すること、及び／又はｐｒｅａｍｂｌｅに関わる他のＰＵＳＣＨリソースを用いること、及び／又はＰＵＳＣＨのＭＣＳ方式を調整することなどを含む。
【００９４】
１．２）前記第１指示情報は、前記第１タイプのランダムアクセスプロセスから第２タイプのランダムアクセスプロセスにフォールバックすることを指示するために用いられる。
【００９５】
具体的には、前記ネットワーク装置は、前記端末装置に第２メッセージを送信する。前記第２メッセージは、ランダムアクセス応答メッセージを含む。前記ネットワーク装置は、前記端末装置からの第３メッセージを受信する。前記第３メッセージは、前記第１上りデータを含む。前記ネットワーク装置は、前記端末装置に第４メッセージを送信する。前記第４メッセージは、競合解決メッセージを含む。
【００９６】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ｐｒｅａｍｂｌｅのみを受信した。ネットワーク装置は、４ステップＲＡＣＨプロセスにフォールバックすることを端末装置に指示する。端末装置は、続いて、４ステップＲＡＣＨプロセスを実行する。この場合、２ステップＲＡＣＨプロセスのＭＳＧ１で受信されたｐｒｅａｍｂｌｅを、４ステップＲＡＣＨプロセスにおけるＭＳＧ１とする。ネットワーク装置は、続いて、端末装置に４ステップＲＡＣＨプロセスのＲＡＲメッセージを送信する。
【００９７】
２）前記ネットワーク装置が前記第１プリアンブルを受信しておらず、前記第１上りデータを受信した場合
ネットワーク装置が第１上りデータのみを受信した可能性は低い。４ステップＲＡＣＨプロセスにおいて、先行ｐｒｅａｍｂｌｅがオープンループ電力制御を行う。基地局は、ｐｒｅａｍｂｌｅを受信した後、ＲＡＲをフィードバックする。ＵＥは、ＭＳＧ３を搬送するＰＵＳＣＨを送信する。ｐｒｅａｍｂｌｅの電力は、基地局により検出されるに不十分であると、ＰＵＳＣＨがｇＮＢにより検出された可能性が大きくないが、本願の実施例は、ネットワーク装置がＰＵＳＣＨのみを受信した場合を排除しない。
【００９８】
２．１）前記第１指示情報は、前記第１メッセージを再送することを指示するために用いられる。ここで、再送される前記第１メッセージは、前記第１プリアンブルを含む。又は、再送される前記第１メッセージは、前記第１プリアンブル及び前記第１上りデータを含む。
【００９９】
再送される前記第１メッセージが前記第１プリアンブルを含む場合、第１指示情報は更に、前記第１メッセージを再送する場合、前記第１プリアンブルの伝送電力及び前記第１プリアンブルの送信回数を記録するためのカウンターを調整することを前記端末装置に指示するために用いられる。
【０１００】
再送される前記第１メッセージが前記第１プリアンブル及び前記第１上りデータを含む場合、前記第１指示情報は更に、前記第１メッセージを再送する場合、前記第１プリアンブルの伝送電力及び前記第１プリアンブルの送信回数を記録するためのカウンターを調整し、前記第１上りデータの伝送パラメータをそのまま維持することを前記端末装置に指示するために用いられる。
【０１０１】
ここで、前記第１上りデータの伝送パラメータは、伝送電力、伝送リソース、変調符号化スキームのうちの少なくとも１つを含む。
【０１０２】
ここで、前記第１上りデータの前記伝送電力は、電力オフセットパラメータ（ｐｏｗｅｒ  ｏｆｆｓｅｔ）を含む。前記電力オフセットパラメータは、前記第１プリアンブルの電力に対する前記第１上りデータの電力のオフセットを指示するためのものである。
【０１０３】
ここで、前記第１上りデータの前記伝送リソースは、前記第１プリアンブルに関わる上りデータチャネルリソースである。ここで、前記第１プリアンブルと１つ又は複数の上りデータチャネルリソースとは、関連関係を有する。
【０１０４】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ＰＵＳＣＨのみを受信した。ネットワーク装置は、ＭＳＧ１を再送することを端末装置に指示する。ＭＳＧ１は、ｐｒｅａｍｂｌｅのみを含み、ＰＵＳＣＨを含まなくてもよい。ｐｒｅａｍｂｌｅ及びＰＵＳＣＨを同時に含んでもよい。再送されるＭＳＧ１がｐｒｅａｍｂｌｅ及びＰＵＳＣＨを同時に含むと、ｐｒｅａｍｂｌｅの電力及び係数を増加し、ＰＵＳＣＨの伝送パラメータをそのままにしてもよい。再送されるＭＳＧ１がｐｒｅａｍｂｌｅのみを含むと、ｐｒｅａｍｂｌｅの電力及び係数を増加する必要がある。
【０１０５】
２．２）前記第１指示情報は、前記第１メッセージを再送しないことを指示するために用いられる。従って、前記第１タイプのランダムアクセスプロセスを実行し続ける。
【０１０６】
具体的には、前記ネットワーク装置は、前記端末装置に第５メッセージを送信する。前記第５メッセージは、ランダムアクセス応答メッセージ及び／又は競合解決メッセージを含む。
【０１０７】
例を挙げると、２ステップＲＡＣＨプロセスにおいて、端末装置は、ネットワーク装置にＭＳＧ１を送信する。ＭＳＧ１は、ｐｒｅａｍｂｌｅ及びＰＵＳＣＨを含む。ネットワーク装置は、ＰＵＳＣＨのみを受信した。ネットワーク装置は、ＭＳＧ１を再送しないことを端末装置に指示する。従って、２ステップＲＡＣＨプロセスを引き続き実行する。つまり、ネットワーク装置は、端末装置にＭＳＧ２を送信する。ここで、ＭＳＧ１のＰＵＳＣＨは、ネットワーク装置により成功して受信された。ここでＵＥ識別子情報が搬送されている。ＭＳＧ２により、競合解決を行うことができる。ＭＳＧ１を再送する必要がない。
【０１０８】
図７は、本願の実施例による信号伝送装置の構造を示す第１概略図である。図７に示すように、前記信号伝送装置は、
第１タイプのランダムアクセスプロセスにおいて、ネットワーク装置に第１メッセージを送信し、前記ネットワーク装置から第１指示情報を取得するように構成される伝送ユニットであって、前記第１メッセージは、第１プリアンブル及び第１上りデータを含む、伝送ユニット７０１と、
前記第１指示情報に基づいて、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを判定するように構成される処理ユニット７０２と、を備える。
【０１０９】
一実施形態において、前記第１指示情報は、前記第１メッセージを再送することを指示するために用いられ、再送される前記第１メッセージは、前記第１上りデータを含み、又は、再送される前記第１メッセージは、前記第１上りデータ及び前記第１プリアンブルを含む。
【０１１０】
一実施形態において、再送される前記第１メッセージが前記第１上りデータを含む場合、前記伝送ユニット７０１は更に、前記第１メッセージを再送する場合、前記第１上りデータの伝送パラメータを調整するように構成される。
【０１１１】
一実施形態において、再送される前記第１メッセージが前記第１上りデータ及び前記第１プリアンブルを含む場合、前記伝送ユニット７０１は更に、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持するように構成される。
【０１１２】
一実施形態において、前記第１指示情報は、前記第１タイプのランダムアクセスプロセスから第２タイプのランダムアクセスプロセスにフォールバックすることを指示するために用いられる。
【０１１３】
一実施形態において、前記端末装置が前記第２タイプのランダムアクセスプロセスにフォールバックした場合、前記伝送ユニット７０１は更に、前記ネットワーク装置からの、ランダムアクセス応答メッセージを含む第２メッセージを受信し、前記ネットワーク装置に、前記第１上りデータを含む第３メッセージを送信し、前記ネットワーク装置からの、競合解決メッセージを含む第４メッセージを受信するように構成される。
【０１１４】
一実施形態において、前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含む。
【０１１５】
一実施形態において、再送される前記第１メッセージが前記第１プリアンブルを含む場合、前記伝送ユニット７０１は更に、前記第１メッセージを再送する場合、前記第１プリアンブルの伝送電力及び前記第１プリアンブルの送信回数を記録するためのカウンターを調整するように構成される。
【０１１６】
一実施形態において、再送される前記第１メッセージが前記第１プリアンブル及び前記第１上りデータを含む場合、前記伝送ユニット７０１は更に、前記第１メッセージを再送する場合、前記第１プリアンブルの伝送電力及び前記第１プリアンブルの送信回数を記録するためのカウンターを調整し、前記第１上りデータの伝送パラメータをそのまま維持するように構成される。
【０１１７】
一実施形態において、前記第１指示情報は、前記第１タイプのランダムアクセスプロセスを実行し続けるために、前記第１メッセージを再送しないことを指示するために用いられる。
【０１１８】
一実施形態において、前記伝送ユニット７０１は更に、前記ネットワーク装置からの第５メッセージを受信するように構成され、前記第５メッセージは、ランダムアクセス応答メッセージ及び／又は競合解決メッセージを含む。
【０１１９】
一実施形態において、前記第１上りデータの伝送パラメータは、伝送電力、伝送リソース、変調符号化スキームのうちの少なくとも１つを含む。
【０１２０】
一実施形態において、前記第１上りデータの前記伝送電力は、電力オフセットパラメータを含み、前記電力オフセットパラメータは、前記第１プリアンブルの電力に対する前記第１上りデータの電力のオフセットを指示するためのものである。
【０１２１】
一実施形態において、前記第１上りデータの前記伝送リソースは、前記第１プリアンブルに関わる上りデータチャネルリソースであり、前記第１プリアンブルと１つ又は複数の上りデータチャネルリソースとは、関連関係を有する。
【０１２２】
一実施形態において、前記処理ユニット７０２は更に、前記第１タイプのランダムアクセスプロセスにおいて前記ネットワーク装置に前記第１メッセージを送信した回数が第１閾値に達したと判定する場合、前記第１タイプのランダムアクセスプロセスから第２タイプのランダムアクセスプロセスにフォールバックするように構成される。
【０１２３】
一実施形態において、前記処理ユニット７０２は更に、前記ネットワーク装置に対して開始した前記第１タイプのランダムアクセスプロセスの回数が第２閾値に達したと判定する場合、前記第１タイプのランダムアクセスプロセスから第２タイプのランダムアクセスプロセスにフォールバックするように構成される。
【０１２４】
一実施形態において、前記処理ユニット７０２は更に、チャネル検出結果に基づいて、前記第１タイプのランダムアクセスプロセスから第２タイプのランダムアクセスプロセスにフォールバックすると判定するように構成される。
【０１２５】
本願の実施例の上記信号伝送装置に関連する説明を、本願の実施例の信号伝送方法に関連する説明を参照しながら理解できることは、当業者であれば、理解すべきである。
【０１２６】
図８は、本願の実施例による信号伝送装置の構造を示す第２概略図である。図８に示すように、前記信号伝送装置は、
第１タイプのランダムアクセスプロセスにおいて、端末装置からの、第１プリアンブル及び第１上りデータを含む第１メッセージを受信し、前記端末装置に第１指示情報を送信するように構成される伝送ユニット８０１であって、前記第１指示情報は、前記第１プリアンブル及び／又は前記第１上りデータを含む前記第１メッセージを前記ネットワーク装置に再送するかどうか、又は、前記第１タイプのランダムアクセスプロセスから第２タイプのランダムアクセスプロセスにフォールバックするかどうかを前記端末装置に指示するために用いられる、伝送ユニット８０１を備える。
【０１２７】
一実施形態において、前記ネットワーク装置が前記第１プリアンブルを受信したが、前記第１上りデータを受信していない場合、
前記第１指示情報は、前記第１メッセージを再送することを指示するために用いられ、再送される前記第１メッセージは、前記第１上りデータを含み、又は、再送される前記第１メッセージは、第１上りデータ及び前記第１プリアンブルを含む。
【０１２８】
一実施形態において、再送される前記第１メッセージが前記第１上りデータを含む場合、前記第１指示情報は更に、前記第１メッセージを再送する場合、前記第１上りデータの伝送パラメータを調整することを前記端末装置に指示するために用いられる。
【０１２９】
一実施形態において、再送される前記第１メッセージが前記第１上りデータ及び前記第１プリアンブルを含む場合、前記第１指示情報は更に、前記第１メッセージを再送する場合、前記第１上りデータの伝送パラメータを調整し、前記第１プリアンブルの伝送電力をそのまま維持し、前記第１プリアンブルの送信回数を記録するためのカウンターをそのまま維持することを前記端末装置に指示するために用いられる。
【０１３０】
一実施形態において、前記ネットワーク装置が前記第１プリアンブルを受信したが、前記第１上りデータを受信していない場合、
前記第１指示情報は、前記第１タイプのランダムアクセスプロセスから第２タイプのランダムアクセスプロセスにフォールバックすることを指示するために用いられる。
【０１３１】
一実施形態において、前記第１タイプのランダムアクセスプロセスから第２タイプのランダムアクセスプロセスにフォールバックした場合、前記伝送ユニット８０１は更に、前記端末装置に、ランダムアクセス応答メッセージを含む第２メッセージを送信し、前記端末装置からの、前記第１上りデータを含む第３メッセージを受信し、前記端末装置に、競合解決メッセージを含む第４メッセージを送信するように構成される。
【０１３２】
一実施形態において、前記ネットワーク装置が前記第１プリアンブルを受信しておらず、前記第１上りデータを受信した場合、
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含む。
【０１３３】
一実施形態において、再送される前記第１メッセージが前記第１プリアンブルを含む場合、第１指示情報は更に、前記第１メッセージを再送する場合、前記第１プリアンブルの伝送電力及び前記第１プリアンブルの送信回数を記録するためのカウンターを調整することを前記端末装置に指示するために用いられる。
【０１３４】
一実施形態において、再送される前記第１メッセージが前記第１プリアンブル及び前記第１上りデータを含む場合、前記第１指示情報は更に、前記第１メッセージを再送する場合、前記第１プリアンブルの伝送電力及び前記第１プリアンブルの送信回数を記録するためのカウンターを調整し、前記第１上りデータの伝送パラメータをそのまま維持することを前記端末装置に指示するために用いられる。
【０１３５】
一実施形態において、前記ネットワーク装置が前記第１プリアンブルを受信しておらず、前記第１上りデータを受信した場合、
前記第１指示情報は、前記第１タイプのランダムアクセスプロセスを実行し続けるために、前記第１メッセージを再送しないことを指示するために用いられる。
【０１３６】
一実施形態において、前記伝送ユニット８０１は更に、前記端末装置に第５メッセージを送信するように構成され、前記第５メッセージは、ランダムアクセス応答メッセージ及び／又は競合解決メッセージを含む。
【０１３７】
一実施形態において、前記第１上りデータの伝送パラメータは、伝送電力、伝送リソース、変調符号化スキームのうちの少なくとも１つを含む。
【０１３８】
一実施形態において、前記第１上りデータの前記伝送電力は、電力オフセットパラメータを含み、前記電力オフセットパラメータは、前記第１プリアンブルの電力に対する前記第１上りデータの電力のオフセットを指示するためのものである。
【０１３９】
一実施形態において、前記第１上りデータの前記伝送リソースは、前記第１プリアンブルに関わる上りデータチャネルリソースであり、前記第１プリアンブルと１つ又は複数の上りデータチャネルリソースとは、関連関係を有する。
【０１４０】
本願の実施例の上記信号伝送装置に関連する説明を、本願の実施例の信号伝送方法に関連する説明を参照しながら理解できることは、当業者であれば、理解すべきである。
【０１４１】
図９は、本願の実施例による通信装置６００の構造を示す概略図である。該通信装置は、端末装置であってもよいし、ネットワーク装置であってもよい。図９に示す通信装置６００は、プロセッサ６１０を備え、プロセッサ６１０は、メモリからコンピュータプログラムを呼び出して実行し、本願の実施例における方法を実現させる。
【０１４２】
任意選択的に、図９に示すように、通信装置６００は、メモリ６２０を更に備えてもよい。ここで、プロセッサ６１０は、メモリ６２０からコンピュータプログラムを呼び出して実行し、本願の実施例における方法を実現させる。
【０１４３】
ここで、メモリ６２０は、プロセッサ６１０から独立した個別のデバイスであってもよく、プロセッサ６１０に集積されてもよい。
【０１４４】
任意選択的に、図９に示すように、通信装置６００は、送受信機６３０を更に備えてもよい。プロセッサ６１０は、該送受信機６３０を、他の装置と通信するように制御することができる。具体的には、他の装置に情報又はデータを送信できるか又は他の装置からの情報又はデータを受信できる。
【０１４５】
ここで、送受信機６３０は、送信機及び受信機を備えてもよい。送受信機６３０は、アンテナを更に備えてもよい。アンテナの数は、１つ又は複数であってもよい。
【０１４６】
任意選択的に、該通信装置６００は具体的には、本願の実施例のネットワーク装置であってもよい。また、該通信装置６００は、本願の実施例の各方法におけるネットワーク装置により実現されるプロセスを実現させることができる。簡潔化のために、ここで詳細な説明を省略する。
【０１４７】
任意選択的に、該通信装置６００は具体的には、本願の実施例の携帯端末／端末装置であってもよい。また、該通信装置６００は、本願の実施例の各方法における携帯端末／端末装置により実現されるプロセスを実現させることができる。簡潔化のために、ここで詳細な説明を省略する。
【０１４８】
図１０は、本願の実施例によるチップの構造を示す概略図である。図１０に示すチップ７００は、プロセッサ７１０を備える。プロセッサ７１０は、メモリからコンピュータプログラムを呼び出して実行し、本願の実施例における方法を実現させる。
【０１４９】
任意選択的に、図１０に示すように、チップ７００は、メモリ７２０を更に備えてもよい。ここで、プロセッサ７１０は、メモリ７２０からコンピュータプログラムを呼び出して実行し、本願の実施例における方法を実現させる。
【０１５０】
ここで、メモリ７２０は、プロセッサ７１０から独立した個別のデバイスであってもよいし、プロセッサ７１０に集積されてもよい。
【０１５１】
任意選択的に、該チップ７００は、入力インタフェース７３０を更に備えてもよい。ここで、プロセッサ７１０は、該入力インタフェース７３０を、他の装置又はチップと通信するように制御することができる。具体的には、他の装置又はチップからの情報又はデータを取得することができる。
【０１５２】
任意選択的に、該チップ７００は、出力インタフェース７４０を更に備えてもよい。ここで、プロセッサ７１０は、該出力インタフェース７４０を、他の装置又はチップと通信するように制御することができる。具体的には、他の装置又はチップに情報又はデータを出力することができる。
【０１５３】
任意選択的に、該チップは、本願の実施例におけるネットワーク装置に適用可能である。また、該チップは、本願の実施例の各方法におけるネットワーク装置により実現されるプロセスを実現させることができる。簡潔化のために、ここで詳細な説明を省略する。
【０１５４】
任意選択的に、該チップは、本願の実施例における携帯端末／端末装置に適用可能である。また、該チップは、本願の実施例の各方法における携帯端末／端末装置により実現されるプロセスを実現させることができる。簡潔化のために、ここで詳細な説明を省略する。
【０１５５】
本願の実施例で言及したチップは、システムオンチップ、システムチップ、チップシステム又はチップの上にあらゆるパーツを搭載したシステムと呼ばれてもよいことが理解されるべきである。
【０１５６】
図１１は、本願の実施例による通信システム９００を示すブロック図である。図１０に示すように、該通信システム９００は、端末装置９１０とネットワーク装置９２０とを備える。
【０１５７】
ここで、該端末装置９１０は、上記方法における端末装置により実現される機能を実現させるために用いられる。該ネットワーク装置９２０は、上記方法におけるネットワーク装置により実現される機能を実現させるために用いられる。簡潔化のために、ここで詳細な説明を省略する。
【０１５８】
本願の実施例におけるプロセッサは、信号処理能力を持つ集積回路チップであってもよいことが理解されるべきである。実現プロセスにおいて、上記方法の実施例における各ステップは、プロセッサにおけるハードウェアの集積論理回路又はソフトウェアの形の命令により完成することができることが理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネントであってもよい。本願の実施例に開示されている各方法、ステップ及び論理ブロック図を実現又は実行することができる。汎用プロセッサはマイクロプロセッサであってもよいし、該プロセッサは如何なる従来のプロセッサ等であってもよい。本願の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ内に位置し、プロセッサはメモリ中の情報を読み取り、そのハードウェアと共に上記方法のステップを完了する。
【０１５９】
本願の実施例におけるメモリは、揮発性または不揮発性メモリであってもよいし、揮発性メモリと不揮発性メモリの両者を備えてもよいことが理解されるべきである。ここで、不揮発性メモリは、読み出し専用メモリ（Ｒｅａｄ-ｏｎｌｙ Ｍｅｍｏｒｙ：ＲＯＭ）、プログラマブル読み出し専用メモリ（Ｐｒｏｇｒａｍｍａｂｌｅ  ＲＯＭ：ＰＲＯＭ）、消去可能なプログラマブル読み出し専用メモリ（Ｅｒａｓａｂｌｅ  ＰＲＯＭ：ＥＰＲＯＭ）、電気的消去可能なプログラマブル読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュメモリとして機能するランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１６０】
上記メモリは例示的なものであるが、限定的なものではないことが理解されるべきである。例えば、本願の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などであってもよい。つまり、本願の実施例におけるメモリは、これら及び如何なる他の適切なタイプのメモリを含むが、これらに限定されない。
【０１６１】
本願の実施例は、コンピュータプログラムを記憶するためのコンピュータ可読記憶媒体を更に提供する。
【０１６２】
任意選択的に、該コンピュータ可読記憶媒体は、本願の実施におけるネットワーク装置に適用可能である。また、該コンピュータプログラムは、コンピュータに、本願の実施例の各方法におけるネットワーク装置により実現されるプロセスを実行させる。簡潔化のために、ここで詳細な説明を省略する。
【０１６３】
任意選択的に、該コンピュータ可読記憶媒体は、本願の実施における携帯端末／端末装置に適用可能である。また、該コンピュータプログラムは、コンピュータに、本願の実施例の各方法における携帯端末／端末装置により実現されるプロセスを実行させる。簡潔化のために、ここで詳細な説明を省略する。
【０１６４】
本願の実施例は、コンピュータプログラム命令を含むコンピュータプログラム製品を更に提供する。
【０１６５】
任意選択的に、該コンピュータプログラム製品は、本願の実施におけるネットワーク装置に適用可能である。また、該コンピュータプログラム命令は、コンピュータに、本願の実施例の各方法におけるネットワーク装置により実現されるプロセスを実行させる。簡潔化のために、ここで詳細な説明を省略する。
【０１６６】
任意選択的に、該コンピュータプログラム製品は、本願の実施における携帯端末／端末装置に適用可能である。また、該コンピュータプログラム命令は、コンピュータに、本願の実施例の各方法における携帯端末／端末装置により実現されるプロセスを実行させる。簡潔化のために、ここで詳細な説明を省略する。
【０１６７】
本願の実施例は、コンピュータプログラムを更に提供する。
【０１６８】
任意選択的に、該コンピュータプログラムは、本願の実施におけるネットワーク装置に適用可能である。また、該コンピュータプログラムがコンピュータで実行される時、コンピュータに、本願の実施例の各方法におけるネットワーク装置により実現されるプロセスを実行させる。簡潔化のために、ここで詳細な説明を省略する。
【０１６９】
任意選択的に、該コンピュータプログラムは、本願の実施における携帯端末／端末装置に適用可能である。また、該コンピュータプログラムがコンピュータで実行される時、コンピュータに、本願の実施例の各方法における携帯端末／端末装置により実現されるプロセスを実行させる。簡潔化のために、ここで詳細な説明を省略する。
【０１７０】
当業者であれば、本明細書に開示されている実施例に関係して記載された種々の例示的なユニット及びアルゴリズムステップは、電子ハードウェア、又はコンピュータソフトウェアと電子ハードウェアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１７１】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１７２】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【０１７３】
分離部材として説明した前記ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１７４】
また、本発明の各実施例における各機能ユニットは一つの処理ユニットに集積されてもよいし、各ユニットが物理的に別個のものとして存在してもよいし、２つ以上のユニットが一つのユニットに集積されてもよい。
【０１７５】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の信号伝送方法の全部又は一部のステップを実行させるための若干の命令を含む。前記の記憶媒体は、ＵＳＢメモリ、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスクなど、プログラムコードを記憶可能な各種の媒体を含む。
【０１７６】
以上は本願の具体的な実施形態に過ぎず、本願の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2022500887.tif 000003
【図２】
2022500887.tif 000004
【図３】
2022500887.tif 000005
【図４】
2022500887.tif 000006
【図５】
2022500887.tif 000007
【図６】
2022500887.tif 000008
【図７】
2022500887.tif 000009
【図８】
2022500887.tif 000010
【図９】
2022500887.tif 000011
【図１０】
2022500887.tif 000012
【図１１】
2022500887.tif 000013
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
信号伝送方法であって、前記信号伝送方法は、
第１タイプのランダムアクセスプロセスにおいて、端末装置がネットワーク装置に第１メッセージを送信し、前記ネットワーク装置から第１指示情報を取得することであって、前記第１メッセージは、第１プリアンブル及び第１上りデータを含む、ことと、
前記端末装置が前記第１指示情報に基づいて、前記第１プリアンブル及び前記第１上りデータのうちの少なくとも１つを再送するかどうか、又は、前記第１タイプのランダムアクセスプロセスから第２タイプのランダムアクセスプロセスにフォールバックするかどうかを判定することと、を含む、信号伝送方法。
【請求項２】
前記信号伝送方法は、
前記端末装置が、前記第１タイプのランダムアクセスプロセスにおいて前記ネットワーク装置に前記第１メッセージを送信した回数が第１閾値に達したと判定する場合、前記第１タイプのランダムアクセスプロセスから第２タイプのランダムアクセスプロセスにフォールバックすることを更に含むことを特徴とする
請求項１に記載の信号伝送方法。
【請求項３】
前記第１指示情報は、前記第１メッセージを再送することを指示するために用いられ、再送される前記第１メッセージは、前記第１上りデータを含み、又は、再送される前記第１メッセージは、前記第１上りデータ及び前記第１プリアンブルを含むことを特徴とする
請求項１又は２に記載の信号伝送方法。
【請求項４】
前記第１指示情報は、前記第１タイプのランダムアクセスプロセスから第２タイプのランダムアクセスプロセスにフォールバックすることを指示するために用いられることを特徴とする
請求項１又は２に記載の信号伝送方法。
【請求項５】
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含むことを特徴とする
請求項１又は２に記載の信号伝送方法。
【請求項６】
前記第１指示情報は、前記第１タイプのランダムアクセスプロセスを実行し続けるために、前記第１メッセージを再送しないことを指示するために用いられることを特徴とする
請求項１又は２に記載の信号伝送方法。
【請求項７】
前記第１タイプのランダムアクセスプロセスを実行し続けることは、
前記ネットワーク装置からの第５メッセージを受信することであって、前記第５メッセージは、ランダムアクセス応答メッセージ及び／又は競合解決メッセージを含む、ことを含むことを特徴とする
請求項６に記載の信号伝送方法。
【請求項８】
信号伝送方法であって、前記信号伝送方法は、
第１タイプのランダムアクセスプロセスにおいて、ネットワーク装置が端末装置からの第１メッセージを受信することであって、前記第１メッセージは、第１プリアンブル及び第１上りデータを含む、ことと、
前記ネットワーク装置が前記端末装置に第１指示情報を送信することであって、前記第１指示情報は、前記第１プリアンブル及び前記第１上りデータのうちの少なくとも１つを再送するかどうか、又は、前記第１タイプのランダムアクセスプロセスから第２タイプのランダムアクセスプロセスにフォールバックするかどうかを前記端末装置に指示するために用いられる、ことと、を含む、信号伝送方法。
【請求項９】
前記ネットワーク装置が前記第１プリアンブルを受信したが、前記第１上りデータを受信していない場合、
前記第１指示情報は、前記第１メッセージを再送することを指示するために用いられ、再送される前記第１メッセージは、前記第１上りデータを含み、又は、再送される前記第１メッセージは、第１上りデータ及び前記第１プリアンブルを含み、
又は、
前記第１指示情報は、前記第１タイプのランダムアクセスプロセスから前記第２タイプのランダムアクセスプロセスにフォールバックすることを指示するために用いられることを特徴とする
請求項８に記載の信号伝送方法。
【請求項１０】
前記ネットワーク装置が前記第１プリアンブルを受信しておらず、前記第１上りデータを受信した場合、
前記第１指示情報は、前記第１メッセージを再送することを指示するために用いられ、再送される前記第１メッセージは、前記第１プリアンブルを含み、又は、再送される前記第１メッセージは、前記第１プリアンブル及び前記第１上りデータを含み、
又は、
前記第１指示情報は、前記第１タイプのランダムアクセスプロセスを実行し続けるために、前記第１メッセージを再送しないことを指示するために用いられることを特徴とする
請求項８に記載の信号伝送方法。
【請求項１１】
端末装置であって、プロセッサと、メモリと、を備え、該メモリは、コンピュータプログラムを記憶するように構成され、該プロセッサは、該メモリに記憶されたコンピュータプログラムを呼び出して実行して、請求項１から７のうちいずれか一項に記載の信号伝送方法を実行するように構成される、端末装置。
【請求項１２】
ネットワーク装置であって、プロセッサと、メモリと、を備え、該メモリは、コンピュータプログラムを記憶するように構成され、該プロセッサは、該メモリに記憶されたコンピュータプログラムを呼び出して実行して、請求項８から１０のうちいずれか一項に記載の信号伝送方法を実行するように構成される、ネットワーク装置。
【請求項１３】
チップであって、前記チップは、メモリからコンピュータプログラムを呼び出して実行して、前記チップが搭載されている装置に請求項１から１０のうちいずれか一項に記載の信号伝送方法を実行させるように構成されるプロセッサを備える、チップ。
【請求項１４】
コンピュータ可読記憶媒体であって、コンピュータプログラムを記憶するためのものであり、該コンピュータプログラムは、コンピュータに請求項１から１０のうちいずれか一項に記載の信号伝送方法を実行させる、コンピュータ可読記憶媒体。
【請求項１５】
コンピュータプログラムであって、コンピュータプログラム命令を含み、該コンピュータプログラム命令は、コンピュータに請求項１から１０のうちいずれか一項に記載の信号伝送方法を実行させる、コンピュータプログラム。
【国際調査報告】
2022500887.tif 000014
2022500887.tif 000015
2022500887.tif 000016
2022500887.tif 000017